(57)【要約】【課題】銀行の行員が顧客からの預金の受け入れや払い戻しを行う際、利用中でない貨幣処理装置があった場合、どの端末装置からでも空いている貨幣処理装置を利用することができること。【解決手段】端末装置は、利用者によって入力された利用者を識別する端末利用者識別子と機密保護のために利用者の確認に用いる符号とを対応付けて利用者情報として記憶して、貨幣処理装置によって入力された利用者情報を貨幣処理装置からのデータを送受信するためのポート経由で受信したならば、受信した利用者情報と記憶された利用者情報とが一致するか否かを判定し、一致していると判定された場合に、ポート経由で受信した利用者情報の送信元である貨幣処理装置との接続を確立して、貨幣処理装置は、利用者情報を入力するように貨幣処理システムを構成する。【選択図】図２
2010204767.tif 000002
【特許請求の範囲】
【請求項１】
貨幣の入出金の情報を入力する端末装置と前記端末装置からの入出金情報に基づいて貨幣を収納または払出す貨幣処理装置とを有する貨幣処理システムであって、
前記端末装置は、
利用者によって入力された前記利用者を識別する端末利用者識別子と機密保護のために利用者の確認に用いる符号とを対応付けて利用者情報として記憶する利用者情報記憶手段と、
前記貨幣処理装置によって入力された前記利用者情報を前記貨幣処理装置からのデータを送受信するためのポート経由で受信したならば、受信した前記利用者情報と前記利用者情報記憶手段によって記憶された前記利用者情報とが一致するか否かを判定する一致判定手段と、
前記一致判定手段によって一致していると判定された場合に、前記ポート経由で受信した前記利用者情報の送信元である前記貨幣処理装置との接続を確立するリンク確立手段と
を備え、
前記貨幣処理装置は、
前記利用者情報を入力する利用者情報入力手段
を備えたことを特徴とする貨幣処理システム。
【請求項２】
前記端末装置は、
利用者によって貨幣の収納または払出を行う指示が与えられたならば、前記ポートを開けるオープン手段
をさらに備え、
前記貨幣処理装置は、
前記利用者情報入力手段によって入力された前記利用者情報をすべての前記端末装置へ送信する送信手段
をさらに備えたことを特徴とする請求項１に記載の貨幣処理システム。
【請求項３】
前記端末装置は、
前記利用者情報記憶手段によって記憶された前記利用者情報に基づいて許可された利用者であるか否かの認証を行う端末利用者認証手段
をさらに備え、
前記貨幣処理装置は、
前記利用者情報入力手段によって入力された前記利用者情報に基づいて許可された利用者であるか否かの認証を行う機器利用者認証手段
をさらに備えたことを特徴とする請求項１または２に記載の貨幣処理システム。
【請求項４】
前記端末装置は、
前記リンク確立手段によって接続された前記貨幣処理装置から貨幣の収納または払出が終了した旨を通知されたならば、前記オープン手段によって開けられた前記ポートを閉じるクローズ手段
をさらに備えたことを特徴とする請求項２または３に記載の貨幣処理システム。
【請求項５】
貨幣の入出金の情報を入力する端末装置と前記端末装置からの入出金情報に基づいて貨幣を収納または払出す貨幣処理装置とを有する貨幣処理システムであって、
前記端末装置は、
利用者によって貨幣を収納または払出す指示を行う入出金指示手段
を備え、
前記端末装置と前記貨幣処理装置との通信を中継する中継装置は、
前記端末装置において利用者によって入力された前記利用者を識別する端末利用者識別子と機密保護のために利用者の確認に用いる符号とを対応付けた利用者情報を前記端末装置から受信して、受信した前記利用者情報を記憶する利用者情報記憶手段と、
前記利用者情報記憶手段によって記憶された前記利用者情報が許可された利用者であると認証された場合に、前記端末装置との接続を確立する端末リンク確立手段と、
前記貨幣処理装置によって入力された前記利用者情報を受信したならば、受信した前記利用者情報と前記利用者情報記憶手段によって記憶された前記利用者情報とが一致するか否かを判定する一致判定手段と、
前記一致判定手段によって一致していると判定された場合に、前記貨幣処理装置との接続を確立するとともに前記端末装置と前記貨幣処理装置との接続を確立するリンク確立手段と
を備え、
前記貨幣処理装置は、
前記利用者情報を入力する利用者情報入力手段
を備えたことを特徴とする貨幣処理システム。
【請求項６】
貨幣の入出金の情報を入力する端末装置と前記端末装置からの入出金情報に基づいて貨幣を収納または払出す貨幣処理装置とを用いた貨幣処理方法であって、
利用者によって入力された前記利用者を識別する端末利用者識別子と機密保護のために利用者の確認に用いる符号とを対応付けて利用者情報として前記端末装置が記憶する利用者情報記憶工程と、
前記貨幣処理装置によって入力された前記利用者情報を前記貨幣処理装置からのデータを送受信するためのポート経由で受信したならば、受信した前記利用者情報と前記利用者情報記憶工程によって記憶された前記利用者情報とが一致するか否かを前記端末装置が判定する一致判定工程と、
前記一致判定工程によって一致していると判定された場合に、前記ポート経由で受信した前記利用者情報の送信元である前記貨幣処理装置との接続を前記端末装置が確立するリンク確立工程と
を含み、
前記利用者情報を前記貨幣処理装置によって入力する利用者情報入力工程
を含んだことを特徴とする貨幣処理方法。
【発明の詳細な説明】
【技術分野】
【０００１】
本発明は、貨幣の入出金の情報を入力する端末装置と前記端末装置からの入出金情報に基づいて貨幣を収納または払出す貨幣処理装置とを有する貨幣処理システムおよび貨幣処理方法に関し、特に、銀行の行員が顧客からの預金の受け入れや払い戻しを行う際、利用中でない貨幣処理装置があった場合、どの端末装置からでも空いている貨幣処理装置を利用することができる貨幣処理システムおよび貨幣処理方法に関するものである。
【背景技術】
【０００２】
銀行等の金融機関では、銀行の行員が顧客からの預金の受け入れや払い戻しを行う際、業務窓口等に設置されている端末装置から、入出金額とともに顧客の口座番号や顧客名等を入力する。
【０００３】
そして、行員によって入力された入出金情報を顧客情報や預金情報等を管理しているホスト装置へ送信する。また、端末装置付近に設置される貨幣処理装置では、端末装置で入力された入出金情報に基づいて実際の貨幣の収納または払出を行っている。
【０００４】
そして、上述したような、従来の貨幣処理を行うシステムでは、複数台ある貨幣処理装置のうち、端末装置が利用可能な貨幣処理装置をあらかじめ設定しておき、複数台の端末装置が１台の貨幣処理装置を共有して利用することが行われる。
【０００５】
たとえば、特許文献１には、ある端末装置で利用可能な貨幣処理装置を優先順位とともに複数台設定しておき、優先度の高いほうから順に、利用中でない貨幣処理装置をさがすといった技術が開示されている。
【０００６】
そして、ある貨幣処理装置が他の端末装置で利用中であっても、優先順位と共に設定されている貨幣処理装置のうち、空いている下位の貨幣処理装置があった場合には、その貨幣処理装置を利用することができる。
【先行技術文献】
【特許文献】
【０００７】
【特許文献１】特開２０００−３３９５２２号公報
【発明の概要】
【発明が解決しようとする課題】
【０００８】
しかしながら、上述した従来の貨幣処理を行うシステムでは、端末装置に設定された貨幣処理装置以外の貨幣処理装置は、端末装置からは利用することができないという問題があった。
【０００９】
たとえ特許文献１のように、優先順位をつけて複数台設定しておいたとしても、あらかじめ設定しておいた貨幣処理装置以外の貨幣処理装置は利用することができない。たとえば、利用中でない貨幣処理装置があったとしても、端末装置で設定していなかったら利用することができない。
【００１０】
これらのことから、銀行の行員が顧客からの預金の受け入れや払い戻しを行う際、利用中でない貨幣処理装置があった場合、どの端末装置からでも空いている貨幣処理装置を利用することができる貨幣処理装置システムあるいは貨幣処理方法をいかにして実現するかが大きな課題となっている。
【００１１】
本発明は、上述した従来技術の課題を解決するためになされたものであり、銀行の行員が顧客からの預金の受け入れや払い戻しを行う際、利用中でない貨幣処理装置があった場合、どの端末装置からでも空いている貨幣処理装置を利用することができる貨幣処理システムおよび貨幣処理方法を提供することを目的とする。
【課題を解決するための手段】
【００１２】
上述した課題を解決し、目的を達成するために、請求項１にかかる発明は、貨幣の入出金の情報を入力する端末装置と前記端末装置からの入出金情報に基づいて貨幣を収納または払出す貨幣処理装置とを有する貨幣処理システムであって、前記端末装置は、利用者によって入力された前記利用者を識別する端末利用者識別子と機密保護のために利用者の確認に用いる符号とを対応付けて利用者情報として記憶する利用者情報記憶手段と、前記貨幣処理装置によって入力された前記利用者情報を前記貨幣処理装置からのデータを送受信するためのポート経由で受信したならば、受信した前記利用者情報と前記利用者情報記憶手段によって記憶された前記利用者情報とが一致するか否かを判定する一致判定手段と、前記一致判定手段によって一致していると判定された場合に、前記ポート経由で受信した前記利用者情報の送信元である前記貨幣処理装置との接続を確立するリンク確立手段とを備え、前記貨幣処理装置は、前記利用者情報を入力する利用者情報入力手段を備えたことを特徴とする。
【００１３】
また、本発明は、請求項２にかかる発明は、前記端末装置は、利用者によって貨幣の収納または払出を行う指示が与えられたならば、前記ポートを開けるオープン手段をさらに備え、前記貨幣処理装置は、前記利用者情報入力手段によって入力された前記利用者情報をすべての前記端末装置へ送信する送信手段をさらに備えたことを特徴とする。
【００１４】
また、本発明は、請求項３にかかる発明は、前記端末装置は、前記利用者情報記憶手段によって記憶された前記利用者情報に基づいて許可された利用者であるか否かの認証を行う端末利用者認証手段をさらに備え、前記貨幣処理装置は、前記利用者情報入力手段によって入力された前記利用者情報に基づいて許可された利用者であるか否かの認証を行う機器利用者認証手段をさらに備えたことを特徴とする。
【００１５】
また、本発明は、請求項４にかかる発明は、前記端末装置は、前記リンク確立手段によって接続された前記貨幣処理装置から貨幣の収納または払出が終了した旨を通知されたならば、前記オープン手段によって開けられた前記ポートを閉じるクローズ手段をさらに備えたことを特徴とする。
【００１６】
また、本発明は、請求項５にかかる発明は、貨幣の入出金の情報を入力する端末装置と前記端末装置からの入出金情報に基づいて貨幣を収納または払出す貨幣処理装置とを有する貨幣処理システムであって、前記端末装置は、利用者によって貨幣を収納または払出す指示を行う入出金指示手段を備え、前記端末装置と前記貨幣処理装置との通信を中継する中継装置は、前記端末装置において利用者によって入力された前記利用者を識別する端末利用者識別子と機密保護のために利用者の確認に用いる符号とを対応付けた利用者情報を前記端末装置から受信して、受信した前記利用者情報を記憶する利用者情報記憶手段と、前記利用者情報記憶手段によって記憶された前記利用者情報が許可された利用者であると認証された場合に、前記端末装置との接続を確立する端末リンク確立手段と、前記貨幣処理装置によって入力された前記利用者情報を受信したならば、受信した前記利用者情報と前記利用者情報記憶手段によって記憶された前記利用者情報とが一致するか否かを判定する一致判定手段と、前記一致判定手段によって一致していると判定された場合に、前記貨幣処理装置との接続を確立するとともに前記端末装置と前記貨幣処理装置との接続を確立するリンク確立手段とを備え、前記貨幣処理装置は、前記利用者情報を入力する利用者情報入力手段をさらに備えたことを特徴とする。
【００１７】
また、本発明は、請求項６にかかる発明は、貨幣の入出金の情報を入力する端末装置と前記端末装置からの入出金情報に基づいて貨幣を収納または払出す貨幣処理装置とを用いた貨幣処理方法であって、利用者によって入力された前記利用者を識別する端末利用者識別子と機密保護のために利用者の確認に用いる符号とを対応付けて利用者情報として前記端末装置が記憶する利用者情報記憶工程と、前記貨幣処理装置によって入力された前記利用者情報を前記貨幣処理装置からのデータを送受信するためのポート経由で受信したならば、受信した前記利用者情報と前記利用者情報記憶工程によって記憶された前記利用者情報とが一致するか否かを前記端末装置が判定する一致判定工程と、前記一致判定工程によって一致していると判定された場合に、前記ポート経由で受信した前記利用者情報の送信元である前記貨幣処理装置との接続を前記端末装置が確立するリンク確立工程とを含み、前記利用者情報を前記貨幣処理装置によって入力する利用者情報入力工程を含んだことを特徴とする。
【発明の効果】
【００１８】
請求項１の発明によれば、端末装置は、利用者によって入力された利用者を識別する端末利用者識別子と機密保護のために利用者の確認に用いる符号とを対応付けて利用者情報として記憶して、貨幣処理装置によって入力された利用者情報を貨幣処理装置からのデータを送受信するためのポート経由で受信したならば、受信した利用者情報と記憶された利用者情報とが一致するか否かを判定し、一致していると判定された場合に、ポート経由で受信した利用者情報の送信元である貨幣処理装置との接続を確立して、貨幣処理装置は、利用者情報を入力することとしたので、行員が顧客からの預金の受け入れや払い戻しを行う際、利用中でない貨幣処理装置があった場合、どの端末装置からでも空いている貨幣処理装置を利用することができるという効果を奏する。
【００１９】
また、請求項２の発明によれば、端末装置は、利用者によって貨幣の収納または払出を行う指示が与えられたならば、ポートを開け、貨幣処理装置は、入力された利用者情報をすべての端末装置へ送信することとしたので、あらかじめ利用可能な貨幣処理装置を設定しておかなくても、自由に空いている貨幣処理装置を利用することができるという効果を奏する。
【００２０】
また、請求項３の発明によれば、端末装置は、記憶された利用者情報に基づいて許可された利用者であるか否かの認証を行い、貨幣処理装置は、入力された利用者情報に基づいて許可された利用者であるか否かの認証を行うこととしたので、貨幣の収納または払出の際に、安全性を担保することができるという効果を奏する。
【００２１】
また、請求項４の発明によれば、端末装置は、接続された貨幣処理装置から貨幣の収納または払出が終了した旨を通知されたならば、開けられたポートを閉じることとしたので、安全性を担保することができるという効果を奏する。
【００２２】
また、請求項５の発明によれば、端末装置は、利用者によって貨幣を収納または払出す指示を行い、端末装置と貨幣処理装置との通信を中継する中継装置は、端末装置において利用者によって入力された利用者を識別する端末利用者識別子と機密保護のために利用者の確認に用いる符号とを対応付けた利用者情報を端末装置から受信して、受信した利用者情報を記憶して、記憶された利用者情報が許可された利用者であると認証された場合に、端末装置との接続を確立し、貨幣処理装置によって入力された利用者情報を受信したならば、受信した利用者情報と記憶された利用者情報とが一致するか否かを判定し、一致していると判定された場合に、貨幣処理装置との接続を確立するとともに端末装置と貨幣処理装置との接続を確立し、貨幣処理装置は、利用者情報を入力することとしたので、通信回線の負荷を大幅に軽減するとともに、どの端末装置からでも空いている貨幣処理装置を利用することができるという効果を奏する。
【図面の簡単な説明】
【００２３】
【図１】図１は、本実施例にかかる貨幣処理システムの概要を示す図である。
【図２】図２は、貨幣処理システムを構成する端末装置の構成を示すブロック図である。
【図３】図３は、貨幣処理システムを構成する貨幣処理装置の構成を示すブロック図である。
【図４】図４は、本実施例にかかる貨幣処理手順を示すシーケンス図である。
【図５】図５は、本実施例にかかる貨幣処理手順を示すシーケンス図である。
【図６】図６は、変形例にかかる貨幣処理システムの概要を示す図である。
【図７】図７は、変形例にかかる貨幣処理手順を示すシーケンス図である。
【図８】図８は、変形例にかかる貨幣処理手順を示すシーケンス図である。
【図９】図９は、変形例にかかる貨幣処理システムの処理動作を示す図である。
【図１０】図１０は、変形例にかかる貨幣処理システムの概要を示す図である。
【発明を実施するための形態】
【００２４】
以下に、添付図面を参照して、本発明にかかる貨幣処理システムおよび貨幣処理方法の好適な実施例を詳細に説明する。なお、以下に示す実施例では、銀行の業務窓口等に設置されている端末装置および貨幣処理装置について示しているが、銀行以外の金融機関についても本発明にかかる貨幣処理システムあるいは貨幣処理方法を適用することができる。
【実施例】
【００２５】
まず、本実施例にかかる貨幣処理システムの概要について図１を用いて説明する。図１は、本実施例にかかる貨幣処理システムの概要を示す図である。本実施例にかかる貨幣処理システムでは、銀行の行員（以下、単に「行員」と記載する）が顧客からの預金の受け入れや払い戻しを行う際、利用中でない貨幣処理装置があった場合、どの端末装置からでも空いている貨幣処理装置を利用することができる。
【００２６】
同図（Ａ）に示すように、従来の貨幣処理方式は、銀行に設置される複数の端末装置と複数の貨幣処理装置とホスト装置から構成される。各端末装置では、利用可能な貨幣処理装置をあらかじめ設定しておき、複数台の端末装置が１台の貨幣処理装置を共有して利用することができる。
【００２７】
たとえば、端末装置Ａおよび端末装置Ｂでは、利用可能な貨幣処理装置を設定することで、端末装置Ａ、端末装置Ｂおよび貨幣処理装置Ａは論理的に接続されていることとする。同様に、端末装置Ｃおよび端末装置Ｄでは、利用可能な貨幣処理装置を貨幣処理装置Ｂと設定する。
【００２８】
なお、各端末装置および各貨幣処理装置は、ＬＡＮ（ローカルエリアネットワーク）等の通信回線を介して接続されていてもよく、論理的に接続されていない通信回線を破線で示している。ここで、ある行員が、端末装置Ａによって、貨幣処理装置Ａを利用中である場合（同図の（Ａ−０）参照）について説明する。
【００２９】
この場合、端末装置Ｂによって他の行員が顧客からの預金の受け入れや払い戻しを行う際、貨幣処理装置Ａは端末装置Ａによって利用中であることから、貨幣処理装置Ａを利用することはできない（同図の（Ａ−１）参照）。
【００３０】
また、たとえ貨幣処理装置Ｂが利用できる状態であっても、端末装置Ｂは利用可能な貨幣処理装置Ａと設定されているため、端末装置Ｂからは貨幣処理装置Ｂを利用することができない。
【００３１】
しかし、本実施例にかかる貨幣処理システムでは、同図（Ｂ）に示すように、貨幣処理システムでは、上述した装置構成と同様の構成で、各端末装置および各貨幣処理装置は、ＬＡＮ等の通信回線を介して接続されていることとする。
【００３２】
ここで、各端末装置では、あらかじめ利用可能な貨幣処理装置を設定しておく必要はない。そして、ある行員が、端末装置Ａによって、貨幣処理装置Ａを利用中である場合（同図の（Ｂ−０）参照）、貨幣処理装置Ａは他の端末装置からは利用することができない。
【００３３】
この時、別の行員が顧客からの預金の受け入れや払い戻しを行う際には、まず、本システムを利用する利用者を識別する利用者識別子（以下、「ユーザＩＤ」と記載する）と機密保護のために利用者の確認に用いる符号（以下、「パスワード」と記載する）を、端末装置Ｂから入力する。
【００３４】
そして、端末装置Ｂでは、ユーザＩＤおよびパスワードによって、本システムを利用できる権限をもっている確認とともに、本人であることの確認を行う（以下、「個人認証」と記載する）。
【００３５】
その後、端末装置Ｂでは、貨幣処理装置からの情報を送受信するポートをオープンすることによって（同図の（Ｂ−１）参照）、貨幣処理装置からのデータを送受信できる状態にする。
【００３６】
そして、端末装置Ｂで個人認証をした行員は、預金の受け入れや払い戻し処理にともない、入出金額、顧客の口座番号等の入出金情報を入力した後、利用中ではない貨幣処理装置Ｂに出向いて貨幣の収納または払出を行う。
【００３７】
その際、特に払出においては、貨幣処理装置から貨幣が払出されることから、他の行員が故意あるいは間違えて持って行くことを防止するため、貨幣処理装置Ｂでも、ユーザＩＤおよびパスワードを入力することで、個人認証を行うこととする（同図の（Ｂ−２）参照）。
【００３８】
そこで、貨幣処理装置Ｂでは、入力されたユーザＩＤおよびパスワードに基づいて個人認証を行った後、接続されているすべての端末装置に対して、貨幣処理装置Ｂで入力されたユーザＩＤおよびパスワードを一斉配信する（以下、「ブロードキャスト」と記載する）（同図の（Ｂ−３）参照）。
【００３９】
すると、端末装置Ｂでは、貨幣処理装置Ｂから受信したユーザＩＤおよびパスワードと、端末装置Ｂで個人認証した際のユーザＩＤおよびパスワードとを比較して、一致するか否かの確認を行う（同図の（Ｂ−４）参照）。
【００４０】
そして、端末装置Ｂで一致確認ができたら、端末装置Ｂと貨幣処理装置Ｂとのリンクが確立され（同図の（Ｂ−５）参照）、双方で入出金情報や貨幣処理を行った結果等のデータの送受信を行うことができる状態になる。
【００４１】
上述したように、本実施例にかかる貨幣処理システムによれば、行員が顧客からの預金の受け入れや払い戻しを行う際、利用中でない貨幣処理装置があった場合、どの端末装置からでも空いている貨幣処理装置を利用することができる。
【００４２】
次に、本実施例にかかる貨幣処理システムを構成する端末装置１０の構成について図２を用いて説明する。図２は、貨幣処理システムを構成する端末装置１０の構成を示すブロック図である。
【００４３】
同図に示すように、端末装置１０は、入力部１１と、表示部１２と、通信Ｉ／Ｆ１３と、記憶部１４と、制御部１５とを備えている。また、制御部１５は、受付部１５ａと、個人認証部１５ｂと、ポートオープン部１５ｃと、一致確認部１５ｄと、リンク確立部１５ｅとをさらに備えており、記憶部１４は、利用者情報１４ａを記憶する。なお、図２では、端末装置１０の特徴点を説明するために必要な構成要素のみを抜粋して示している。
【００４４】
入力部１１は、キーボードやマウス等の入力デバイスにより構成しており、個人認証を行うために行員がユーザＩＤおよびパスワードを入力する際や、行員が貨幣の収納または払出を行う場合に、入出金額とともに顧客の口座番号や顧客名等を入力する際に操作するものである。
【００４５】
表示部１２は、液晶ディスプレイ等の表示デバイスにより構成しており、個人認証のための入力画面、個人認証結果および入出金情報入力画面等を表示するものである。たとえば、個人認証結果が正しい場合には、表示部１２に、その旨を表示して、入出金処理を選択するメニュー画面を表示する。
【００４６】
通信Ｉ／Ｆ（インターフェース）１３は、ＬＡＮ（ローカルエリアネットワーク）ボード等の通信デバイスであり、端末装置１０と貨幣処理装置２０との間のデータ送受信を行う。
【００４７】
記憶部１４は、不揮発性メモリやハードディスクドライブといった記憶デバイスで構成される記憶部であり、利用者情報１４ａを記憶する。利用者情報１４ａは、個人認証を行うために入力部１１から行員によって入力されたユーザＩＤおよびパスワードである。
【００４８】
受付部１５ａは、入力部１１から入力されたユーザＩＤおよびパスワードを個人認証部１５ｂへ受け渡すとともに、入力部１１から入力された各処理の実行指示等を、制御部１５のそれぞれの処理を行う処理部へ受け渡す処理を行う処理部である。
【００４９】
たとえば、表示部１２に表示された個人認証用の利用者情報入力画面から、ユーザＩＤおよびパスワードを入力後、実行指示キーが操作された場合には、個人認証部１５ｂへ入力されたユーザＩＤおよびパスワードとともに、処理を受け渡すこととする。
【００５０】
個人認証部１５ｂは、行員によって入力部１１から入力されたユーザＩＤおよびパスワードに基づき、貨幣処理システムを利用できる権限をもっているか否かを確認するとともに、本人であることの確認を行う処理を行う処理部である。
【００５１】
ポートオープン部１５ｃは、受付部１５ａから貨幣の収納または払出を行う指示が受け渡された場合に、貨幣処理装置２０からのデータを送受信するため、ポートを開けた状態にしておく処理を行う処理部である。
【００５２】
一致確認部１５ｄは、ポートオープン部１５ｃでオープンしたポート経由で、貨幣処理装置２０から利用者情報を受信した場合に、利用者情報１４ａと受信した利用者情報とが一致するか否かを確認する処理を行う処理部である。
【００５３】
リンク確立部１５ｅは、一致確認部１５ｄで一致が確認されたことによって、自端末装置１０宛のデータを受信したことを認識し、貨幣処理装置２０との接続を確立する処理を行う処理部である。
【００５４】
つづいて、本実施例にかかる貨幣処理システムを構成する貨幣処理装置２０の構成について図３を用いて説明する。図３は、貨幣処理システムを構成する貨幣処理装置２０の構成を示すブロック図である。
【００５５】
同図に示すように、貨幣処理装置２０は、入力部２１と、表示部２２と、貨幣入出金部２３と、通信Ｉ／Ｆ２４と、制御部２５とを備えている。また、制御部２５は、受付部２５ａと、個人認証部２５ｂと、ブロードキャスト部２５ｃとをさらに備えている。なお、図３では、貨幣処理装置２０の特徴点を説明するために必要な構成要素のみを抜粋して示している。
【００５６】
入力部２１は、キーボード、マウス、タッチパネルおよびカードリーダ等の入力デバイスにより構成しており、個人認証を行うために行員がユーザＩＤおよびパスワードを入力する際や各処理の実行指示等を行う際に操作するものである。
【００５７】
たとえば、紙幣の収納をする場合には、行員が紙幣の挿入口へ紙幣を挿入した後、紙幣の取り込み開始を実行する指示を行う際に、入力部２１から取り込み開始指示のキーを操作することとする。
【００５８】
表示部２２は、液晶ディスプレイ等の表示デバイスにより構成しており、個人認証のための入力画面および個人認証結果等を表示するものである。たとえば、個人認証結果が不正であった場合には、表示部２２に、その旨を表示して、再度ユーザＩＤおよびパスワードの入力画面を表示する。
【００５９】
貨幣入出金部２３は、貨幣を収納する際に、紙幣や硬貨を受け付けるとともに、受け付けた貨幣が偽物であるか否かの真偽の判定や計数処理を行い、判定結果および計数結果を制御部２５へ通知する貨幣処理を行う処理部である。また、貨幣入出金部２３は、貨幣を払出する際には、制御部２５から指示された金額の貨幣を計数し、貨幣の払出口へ受け渡す貨幣処理を併せて行う。
【００６０】
通信Ｉ／Ｆ（インターフェース）２４は、ＬＡＮ（ローカルエリアネットワーク）ボード等の通信デバイスであり、貨幣処理装置２０と端末装置１０との間のデータ送受信を行う。
【００６１】
制御部２５は、端末装置１０から受信した入出金情報に基づいて貨幣の収納または払出を行う入出金額等を貨幣入出金部２３へ指示するとともに、入出金額とともに貨幣処理を行った結果を端末装置１０へ送信する処理を行う処理部である。
【００６２】
受付部２５ａは、入力部２１から入力されたユーザＩＤおよびパスワードを個人認証部２５ｂへ受け渡すとともに、入力部２１から入力された各処理の実行指示等を、制御部２５のそれぞれの処理を行う図示しない処理部へ受け渡す処理を行う処理部である。
【００６３】
個人認証部２５ｂは、行員によって入力部２１から入力されたユーザＩＤおよびパスワードに基づき、貨幣処理システムを利用できる権限をもっているか否かを確認するとともに、本人であることの確認を行う処理を行う処理部である。
【００６４】
ブロードキャスト部２５ｃは、入力部２１から入力されたユーザＩＤおよびパスワードを、通信回線によって接続されているすべての端末装置１０に同時に送信する、いわゆるブロードキャスト処理を行う処理部である。
【００６５】
次に、本実施例にかかる貨幣処理システムを構成する端末装置１０および貨幣処理装置２０が実行する処理手順について図４および図５を用いて説明する。図４および図５は、本実施例にかかる貨幣処理手順を示すシーケンス図である。
【００６６】
同図に示すように、行員が顧客からの預金の受け入れや払い戻しを行う際に、入出金情報を入力する端末装置１０では、行員の個人認証を行うために、ユーザＩＤおよびパスワードを入力し(ステップＳ１０１)、記憶部１４に記憶しておく。
【００６７】
すると、端末装置１０では、行員によって入力されたユーザＩＤおよびパスワードに基づいて個人認証を行い(ステップＳ１０２)、認証されたならば、端末装置１０から入出金額とともに顧客の口座番号や顧客名等の入出金情報を入力する(ステップＳ１０３)。
【００６８】
その後、端末装置１０は、入力された入出金情報を顧客情報や預金情報等を管理している図示しないホスト装置へ送信する処理を行い（ステップＳ１０４）、ポートオープンして(ステップＳ１０５)、貨幣処理装置２０からのデータの送受信ができる状態にする。
【００６９】
そして、入出金情報処理が終わったら、行員は貨幣の収納または払出を行う貨幣処理装置２０に出向き、貨幣処理装置２０でも行員の個人認証を行うために、ユーザＩＤおよびパスワードを入力する(ステップＳ１０６)。
【００７０】
すると、貨幣処理装置２０は、行員によって入力されたユーザＩＤおよびパスワードに基づいて個人認証を行い(ステップＳ１０７)、認証されたならば、端末装置１０に入力された利用者情報をブロードキャスト送信する（ステップＳ１０８）。
【００７１】
一方、ポートオープンしていた端末装置１０では、記憶部１４に記憶された利用者情報１４ａと受信した利用者情報とが一致することを確認し（ステップＳ１０９）、貨幣処理装置２０とのリンク確立をする（ステップＳ１１０）。
【００７２】
つづいて、端末装置１０は、行員によって入力された入出金情報を貨幣処理装置２０へ送信する（ステップＳ１１１）ことによって、貨幣の収納または払出を行う指示を行い、貨幣処理装置２０では、貨幣を収納または払出す貨幣処理が開始されることとなる。
【００７３】
ここでは、貨幣の収納処理手順の一例について記述することとする。端末装置１０から貨幣収納指示を受けた貨幣処理装置２０に、行員は収納を行う貨幣を挿入すると（ステップＳ１１２）、貨幣処理装置２０は、受け付けた貨幣の真偽の判定や計数処理等の貨幣処理を行う（ステップＳ１１３）。
【００７４】
そして、貨幣処理装置２０は、貨幣が収納された貨幣処理の結果を端末装置１０へ送信し（ステップＳ１１４）、現金の入出金が行われる貨幣処理装置２０であることから、安全性を考慮して、端末装置１０との接続をただちに切断して（ステップＳ１１５）、処理を終了する。
【００７５】
一方、端末装置１０では、貨幣処理装置２０からの貨幣処理結果を受信することによって、貨幣の収納指示に対する一連の貨幣処理が終了したと判断し、安全性を考慮して、ポートをクローズしておく（ステップＳ１１６）。
【００７６】
そして、端末装置１０は、貨幣処理装置２０からの貨幣処理結果を図示しないホスト装置へ送信し（ステップＳ１１７）、処理を終了する。一方、図示しないホスト装置では、受信した貨幣処理結果に基づき、データベース等によって管理している預金情報と銀行内の現金との整合性をとることとなる。
【００７７】
上述してきたように、本実施例では、貨幣処理装置２０によって入力された利用者情報を端末装置１０が受信して、端末装置１０によって入力された利用者情報と、貨幣処理装置２０から受信した利用者情報とが一致するか否かを確認することにより、受信した利用者情報が自端末装置１０宛であることを認識し、貨幣処理装置２０とのリンク確立を行い、貨幣処理を行うよう構成したので、行員が顧客からの預金の受け入れや払い戻しを行う際、利用中でない貨幣処理装置があった場合、どの端末装置からでも安全に空いている貨幣処理装置を利用することができる。
【００７８】
なお、本発明請求項記載の端末装置は端末装置１０、貨幣処理装置は貨幣処理装置２０、利用者情報記憶手段は利用者情報１４ａ、一致判定手段は一致確認部１５ｄ、リンク確立手段はリンク確立部１５ｅ、利用者情報入力手段は入力部２１、オープン手段はポートオープン部１５ｃ、送信手段はブロードキャスト部２５ｃ、端末利用者認証手段は個人認証部１５ｂ、機器利用者認証手段は個人認証部２５ｂ、クローズ手段は制御部１５に相当するものである。
【００７９】
なお、上述した実施例では、貨幣処理装置２０から入力した利用者情報といずれかの端末装置１０から入力した利用者情報が一致するかを確認する際に、貨幣処理装置２０から端末装置１０へ利用者情報をブロードキャストするようにした。しかし、各端末装置１０へ１台ずつ利用者情報を送信（ポーリング方式）して、ポートオープンしている端末装置１０があるかを確認してもよい。
【００８０】
この場合、すべての端末装置１０へブロードキャストしないことで、接続される通信回線に対して、同時に多くの負荷をかけることなく、利用者情報が一致する端末装置１０を確認することができる。
【００８１】
また、上述した実施例では、個人認証用のユーザＩＤおよびパスワードを、端末装置１０および貨幣処理装置２０から入力するようにしたが、あらかじめ端末装置１０および貨幣処理装置２０にカードリーダを接続しておき、利用者情報が対応付けられたカードをカードリーダに通すことによって、各装置で利用者情報を認識するようにしてもよい。
【００８２】
この場合、行員がユーザＩＤおよびパスワードを入力している際に、入力したパスワード等を他人に盗み見られることもなく、また、行員になりすまして個人認証が行われる恐れもないので、安全性を向上することができる。
【００８３】
ところで、これまでは、端末装置１０がポートオープンして、貨幣処理装置２０でブロードキャストする場合について説明してきたが、端末装置１０と貨幣処理装置２０との間に中継装置を備えるような装置構成としてもよい。
【００８４】
そこで、以下では、中継装置を備える貨幣処理システムについて説明する。図６は、変形例にかかる貨幣処理システムの概要を示す図である。同図に示すように、貨幣処理システムは、端末装置、貨幣処理装置および中継装置３０から構成されており、貨幣処理装置が端末装置へブロードキャストではなく、中継装置３０へ利用者情報を送信する点で、図１の（Ｂ）に示した貨幣処理システムとは異なる。
【００８５】
具体的には、図６に示した中継装置３０は、端末装置Ｂから入力された利用者情報を受信して、受信した利用者情報に基づいて個人認証を行い、認証した場合に、端末装置Ｂとのリンク確立をして（同図の（１）参照）、貨幣処理装置からのデータを送受信するため、ポートをオープンする（同図の（２）参照）。
【００８６】
一方、貨幣処理装置Ｂは、入力された利用者情報に基づいて個人認証を行った後、入力された利用者情報を中継装置３０へ送信し、中継装置３０では、端末装置Ｂおよび貨幣処理装置Ｂの双方から送信された利用者情報の一致確認を行う。
【００８７】
そして、中継装置３０は、一致を確認したら、貨幣処理装置Ｂとのリンク確立をもすることによって（同図の（３）参照）、自中継装置３０を介して端末装置Ｂと貨幣処理装置Ｂとの接続を確立することとなる。
【００８８】
ここで、変形例にかかる貨幣処理システムを構成する端末装置１０ａ、貨幣処理装置２０ａおよび中継装置３０が実行する処理手順について図７および図８を用いて詳細に説明する。図７および図８は、変形例にかかる貨幣処理手順を示すシーケンス図である。
【００８９】
同図に示すように、行員が入出金情報を入力する際、ユーザＩＤおよびパスワードを入力し(ステップＳ２０１)、端末装置１０ａは、入力された入出金情報を中継装置３０に送信するとともに、中継装置３０へ個人認証要求を行う（ステップＳ２０２）。
【００９０】
すると、中継装置３０では、受信した利用者情報に基づいて個人認証を行い(ステップＳ２０３)、認証されたならば、認証結果を端末装置１０ａへ送信するとともに、端末装置１０ａとのリンク確立をする（ステップＳ２０４）。
【００９１】
そして、中継装置３０は、ポートオープンを行い(ステップＳ２０５)、貨幣処理装置２０ａからのデータの送受信ができる状態にする。一方、行員は端末装置１０ａから入出金情報を入力し(ステップＳ２０６)、端末装置１０ａは、入力された入出金情報処理を行う（ステップＳ２０７）。
【００９２】
そして、入出金情報処理が終わったら、行員は貨幣処理装置２０ａに出向き、貨幣処理装置２０ａでも行員の個人認証を行うために、ユーザＩＤおよびパスワードを入力する(ステップＳ２０８)。
【００９３】
すると、貨幣処理装置２０ａは、行員によって入力された利用者情報に基づいて個人認証を行い(ステップＳ２０９)、認証されたならば、中継装置３０に入力された利用者情報を送信する（ステップＳ２１０）。
【００９４】
一方、ポートオープンしていた中継装置３０では、端末装置１０ａおよび貨幣処理装置２０ａから受信した利用者情報が一致することを確認し（ステップＳ２１１）、貨幣処理装置２０ａとのリンク確立をする（ステップＳ２１２）。
【００９５】
ここで、中継装置３０は、端末装置１０ａと貨幣処理装置２０ａとの接続が確立した旨を端末装置１０ａに通知するために、次に行う処置の要求を端末装置１０ａに送信する（ステップＳ２１３）。
【００９６】
つづいて、端末装置１０ａは、ステップＳ２０６で入力された入出金情報を、中継装置３０を介して貨幣処理装置２０ａへ送信する（ステップＳ２１４）ことによって、貨幣処理装置２０ａでは、貨幣を収納または払出す貨幣処理が開始されることとなる。
【００９７】
ここでは、貨幣の払出処理手順の一例について記述することとする。貨幣処理装置２０ａは、端末装置１０ａから受信した入出金情報に基づいて払出される貨幣を計数する等の貨幣処理を行い（ステップＳ２１５）、貨幣を払出す（ステップＳ２１６）。
【００９８】
そして、貨幣処理装置２０ａは、貨幣が払出された貨幣処理の結果を中継装置３０へ送信し（ステップＳ２１７）、安全性を考慮して、中継装置３０との接続をただちに切断して（ステップＳ２１８）、処理を終了する。
【００９９】
その後、中継装置３０では、貨幣処理装置２０ａからの貨幣処理結果を受信することによって、貨幣の払出に対する一連の貨幣処理が終了したと判断し、安全性を考慮して、ポートをクローズして（ステップＳ２１９）、貨幣処理装置２０ａから受信した貨幣処理結果を端末装置１０ａへ送信し（ステップＳ２２０）、中継処理を終了する。
【０１００】
一方、端末装置１０ａでは、中継装置３０から受信した貨幣処理結果を図示しないホスト装置へ送信し（ステップＳ２２１）、中継装置３０との接続を切断し（ステップＳ２２２）、処理を終了する。
【０１０１】
上述してきたように、本変形例では、端末装置１０ａと貨幣処理装置２０ａとの間に中継装置３０を備えた装置構成とすることで、中継装置３０がどの端末装置１０ａと接続されているかを認識することができるようにした。
【０１０２】
したがって、多くの端末装置１０ａが接続されていた場合であっても、貨幣処理装置２０ａは中継装置３０に対してのみ利用者情報を送信するだけでよく、通信回線に対しての負荷を大幅に軽減することができる。
【０１０３】
なお、上述した実施例では、行員が利用中ではない貨幣処理装置２０ａに出向いて貨幣の収納または払出を行っていた。しかし、中継装置３０が各貨幣処理装置の負荷を判定して、あらかじめ利用中ではない貨幣処理装置２０ａを検索しておいてもよい。
【０１０４】
そこで、以下では、中継装置３０が各装置の負荷を判定する処理動作の一例について、図９を用いて簡単に説明する。図９は、変形例にかかる貨幣処理システムの処理動作を示す図である。
【０１０５】
同図（Ａ）に示すように、各装置構成は、図６で示した貨幣処理システムと同じである。ここで、端末装置Ａが貨幣処理装置Ａを利用中であった場合について説明する（同図の（Ａ−０）参照）。
【０１０６】
この場合、端末装置Ｂと中継装置３０とのリンク確立後（同図の（Ａ−１）参照）、中継装置３０が各貨幣処理装置の負荷判定を行い（同図の（Ａ−２）参照）、現在、利用中ではない貨幣処理装置を検索する。
【０１０７】
そして、現在利用中ではない貨幣処理装置の空き状況を端末装置Ｂへ通知して（同図の（Ａ−３）参照）、通知された貨幣処理装置の空き状況を確認した行員は、空き状況に応じた貨幣処理装置に出向いて貨幣の収納または払出を行う。
【０１０８】
また、中継装置３０が、貨幣処理装置の空き状況を端末装置Ｂへ通知した際に、端末装置Ｂから利用中ではない貨幣処理装置、たとえば貨幣処理装置Ｂの利用予約を行うことができ、中継装置３０では貨幣処理装置Ｂが利用中であると認識するようにしてもよい。
【０１０９】
この場合、通知された空き状況を見て、複数の行員が同じ貨幣処理装置に出向いて利用しようとすることがなく、行員の業務に支障をきたさず、効率よく空いている貨幣処理装置を利用することができる。
【０１１０】
また、上述した実施例では、貨幣処理装置が貨幣処理を行った後、貨幣処理結果を中継装置３０へ送信し、中継装置３０からリンク確立していた端末装置へ、貨幣処理結果を送信するようにしていた。しかしながら、本発明はこれに限られるものではない。
【０１１１】
たとえば、中継装置３０が各端末装置の負荷判定を行い、負荷の少ない端末装置へ貨幣処理結果を送信するようにしてもよい。具体的には、図９（Ｂ）を用いて説明することとする。
【０１１２】
同図（Ｂ）に示すように、端末装置Ｂと中継装置３０とのリンク確立をし（同図の（Ｂ−１）参照）、貨幣処理装置Ｂによって貨幣処理が行われた後（同図の（Ｂ−２）参照）、貨幣処理装置Ｂは貨幣処理結果を中継装置３０へ送信する（同図の（Ｂ−３）参照）。
【０１１３】
ここで、端末装置Ｂでは既に他の処理を行っていた場合、中継装置３０は、端末装置Ｃの処理負荷の方が少ないと判定して（同図の（Ｂ−４）参照）、端末装置Ｃへ貨幣処理結果を送信する（同図の（Ｂ−５）参照）。この場合、負荷の少ない端末装置Ｃから貨幣処理結果をホスト装置に送信できるので、処理速度の向上を図ることができる。
【０１１４】
さて、これまで本発明の実施例について説明してきたが、上述した実施例以外にも、種々の異なる形態にて実施されてよいものである。たとえば、従来の銀行内での運用はそのままで、本発明の実施例で説明してきた技術を共存させてもよい。
【０１１５】
ここで、従来の銀行内での運用と、本発明の技術を共存させた場合の貨幣処理システムの一例について、図１０を用いて説明する。図１０は、変形例にかかる貨幣処理システムの概要を示す図である。
【０１１６】
同図上部に示すように、端末装置Ａ〜Ｄでは利用可能な貨幣処理装置をあらかじめ設定しておき、２台の端末装置で１台の貨幣処理装置を共有して利用する従来の銀行内の装置構成があったとする。
【０１１７】
具体的には、端末装置Ａおよび端末装置Ｂには、利用可能な貨幣処理装置Ａが設定されており、端末装置Ｃおよび端末装置Ｄには、利用可能な貨幣処理装置Ｂが設定されているものとする。
【０１１８】
ここで、同図下部に示すように、端末装置Ｅ〜Ｈを増設する場合には、利用可能な貨幣処理装置を特に設定しておかないこととする。そこで、ある行員が、端末装置Ａによって、貨幣処理装置Ａを利用中である場合（同図の（０）参照）、貨幣処理装置Ａは他の端末装置からは利用することができない。
【０１１９】
この場合、端末装置Ｈによって他の行員が貨幣の収納または払出を行う際、貨幣処理装置Ａは端末装置Ａによって利用中であることから、貨幣処理装置Ａを利用することはできない。
【０１２０】
したがって、端末装置Ｈによって個人認証した行員は、利用中でない貨幣処理装置Ｂに出向いて利用者情報を入力した後、貨幣処理装置Ｂでは、入力された利用者情報を端末装置にブロードキャストする（同図の（１）参照）。
【０１２１】
そして、端末装置Ｈは、利用者情報の一致確認を行い、貨幣処理装置Ｂとのリンク確立を行い、貨幣処理装置Ｂによる貨幣処理が可能となる。このように、本発明の貨幣処理システムを導入する際、現在導入している貨幣処理システムはそのまま利用することができるように構成した。
【０１２２】
この場合、現在導入している銀行内にある貨幣処理システムを新しいシステムに取り換えることなく、既存のシステムをそのまま利用することによって、本発明にかかる貨幣処理システムの導入の際にかかる、コストを大幅に削減することができる。
【０１２３】
さて、これまで本発明の実施例では、銀行等の金融機関に設置される貨幣処理装置について説明してきたが、本発明はこれに限られるものではない。たとえば、貨幣を対象とする場合だけではなく、百貨店や金券ショップ等で扱う商品券などの紙葉類を対象とする場合にも適用してもよい。
【０１２４】
また、上述した実施例では、銀行の行員が顧客からの預金の受け入れや払い戻しを行う際、入出金情報を入力するよう説明してきた。しかしながら、行員が銀行内に設置されたＡＴＭ（Automatic Teller Machine）と呼ばれる現金自動預け払い機および両替機等に貨幣を補填または回収する際にも適用してもよい。
【０１２５】
また、上述した実施例では、貨幣を扱う貨幣処理装置について説明してきたが、本発明は上述した実施例以外にも、種々の異なる形態にて実施されてよいものである。たとえば、ＬＡＮ等の通信回線に接続されているプリンタにも適用してもよい。
【０１２６】
通常、通信回線に接続されている端末装置からプリントを行う場合は、端末装置にあらかじめ利用可能なプリンタを設定しておく。そして、プリンタはキューイングといって、先にプリント指示を行ったプリントデータが先に出力されるという特徴をもつ。
【０１２７】
具体的には、プリント中のプリンタは、プリント中の処理が終わらないと、次にプリント指示を行った印刷物は出力されない。また、プリント物の取り忘れや、とり間違いによって、機密情報が漏えいする恐れがある。
【０１２８】
そこで、本発明をプリンタに適用してもよく、この場合、利用者が出力されるプリンタに出向くことによって、プリント物の取り忘れや、とり間違いを解消することができ、本発明を導入した銀行や企業等のセキュリティを担保することができる。
【産業上の利用可能性】
【０１２９】
以上のように、本発明にかかる貨幣処理システムは、行員が顧客からの預金の受け入れや払い戻しを行う際に有用であり、特に、利用中でない貨幣処理装置があった場合、どの端末装置からでも容易で安全に空いた貨幣処理装置を利用する場合に適している。
【符号の説明】
【０１３０】
１０    端末装置
１１    入力部
１２    表示部
１３    通信Ｉ／Ｆ
１４    記憶部
１４ａ  利用者情報
１５    制御部
１５ａ  受付部
１５ｂ  個人認証部
１５ｃ  ポートオープン部
１５ｄ  一致確認部
１５ｅ  リンク確立部
２０    貨幣処理装置
２１    入力部
２２    表示部
２３    貨幣入出金部
２４    通信Ｉ／Ｆ
２５    制御部
２５ａ  受付部
２５ｂ  個人認証部
２５ｃ  ブロードキャスト部
１０ａ  端末装置
２０ａ  貨幣処理装置
３０    中継装置
【図１】
2010204767.tif 000003
【図２】
2010204767.tif 000004
【図３】
2010204767.tif 000005
【図４】
2010204767.tif 000006
【図５】
2010204767.tif 000007
【図６】
2010204767.tif 000008
【図７】
2010204767.tif 000009
【図８】
2010204767.tif 000010
【図９】
2010204767.tif 000011
【図１０】
2010204767.tif 000012